(57)【要約】      （修正有）【課題】様々な色の花を什器に一斉に陳列展示して小売りする際に、客が購入したい色の花を、陳列されている花の中から容易に選び出すことができる花展示用什器を提供する。【解決手段】シート状磁石５がそれぞれ貼着された複数の花桶３がそれぞれ、第１のシート状磁石５で磁気吸着可能な展示板２上に着脱自在に吸着固定されるようになっている。これらの花桶３にはまた、表示プレート７を着脱自在に吸着固定する第２のシート状磁石６が貼着されている。前記表示プレート７の表面には花桶３に入っている花の色と略同色の化粧シート８が交換可能に貼着されていて、化粧シート８の色から当該表示プレート７が取り付けられた花桶３の花の色を容易に確認することができる。【選択図】図３
0003138068.tif 000002
【実用新案登録請求の範囲】
【請求項１】
少なくとも表面側が磁気吸着可能な展示板と、
それぞれ、上端に花を差し込むための開口部を有するとともに、少なくとも側壁外面に、第１のシート状磁石が貼着された第１の平坦面と、前記平坦面の反対側に第２のシート状磁石が貼着された第２の平坦面とを有する複数の花桶と、
それぞれ、少なくとも裏面側が磁気吸着可能で平坦に形成され、表面側に前記各々の花桶に入れられる花と略同色の化粧シートが、花の色に応じて交換可能に貼着された複数の表示プレートとを備え、
前記それぞれの花桶は、展示板表面と第１の平坦面を対向させて、第１のシート状磁石によって前記展示板表面に吸着固定されるとともに、展示板前方に向いた第２の平坦面に、第２のシート磁石によって、当該花桶に入れられる花の色と略同色の化粧シートが貼着された表示プレートが固定されることを特徴とする花展示用什器。
【請求項２】
展示板が基板と、前記基板表面に貼り付けられる化粧板から構成され、前記化粧板は、複数種類の色彩ないし絵柄のものが用意されて、これらの中から選択的且つ交換自在に前記基板に取り付けられることを特徴とする請求項１記載の花展示用什器。
【考案の詳細な説明】
【技術分野】
【０００１】
本考案は、花の小売り販売等に用いるための花展示用什器に関するものである。
【背景技術】
【０００２】
従来、花の小売り販売を行う場合には、一般的に、色とりどりの大小様々な種類の花を什器の花桶に収容して多数陳列展示して行っている。このような花の小売り形態において、客は通常これらの様々な花の中から、様々な色の花を複数種類組み合わせて購入する場合が多い。
【０００３】
商品の色を選択する場合、例えば、特許文献１に示すように、客が購入しようとする商品のアンダートーンがイエローベースかブルーベースかによって、商品コーナーを２つのグループに大分けして、客が商品を購入する際の商品の色の選択を容易にする提案が従来なされているが、
【特許文献１】特開２００４−１８７８０４号公報
【考案の開示】
【考案が解決しようとする課題】
【０００４】
しかし、客が花を購入する場合、客自身や店員は、什器の花桶に入れて陳列展示されている、色や種類が様々な多数の花の中から目的の花を選択するが、これらの花は、様々な向きを向いていたり、葉や茎や蕾に隠れて見にくかったり、店内の照明の具合で本当の色が確認しにくい場合があり、特に、色の薄い花や花弁が小さい花では、離れた位置から花の色を正確に確認しづらい問題があった。
【０００５】
そこで、本考案は、前述したような問題点を解消し、様々な色の花を什器に一斉に陳列展示して小売りする際に、客が購入したい色の花を、陳列されている花の中から容易に選び出すことができる花展示用什器を提供することを目的とする。
【課題を解決するための手段】
【０００６】
前記課題を解決するため、本考案の花展示用什器は、少なくとも表面側が磁気吸着可能な展示板と、それぞれ、上端に花を差し込むための開口部を有するとともに、少なくとも側壁外面に、第１のシート状磁石が貼着された第１の平坦面と、前記平坦面の反対側に第２のシート状磁石が貼着された第２の平坦面とを有する複数の花桶と、それぞれ、少なくとも裏面側が磁気吸着可能で平坦に形成され、表面側に前記各々の花桶に入れられる花と略同色の化粧シートが、花の色に応じて交換可能に貼着された複数の表示プレートとを備えている。
【０００７】
前記それぞれの花桶は、展示板表面と第１の平坦面を対向させて、第１のシート状磁石によって前記展示板表面に吸着固定されるとともに、展示板前方に向いた第２の平坦面に、第２のシート磁石によって、当該花桶に入れられる花の色と略同色の化粧シートが貼着された表示プレートが固定されるようになっている。
【０００８】
本考案の花展示用什器は、展示板が基板と、前記基板表面に貼り付けられる少なくとも１枚の化粧板から構成され、前記化粧板は、複数種類の色彩ないし絵柄のものが用意されて、これらの中から選択的且つ交換自在に前記基板に取り付けられるようになっていることが望ましい。
【考案の効果】
【０００９】
請求項１記載の考案によれば、それぞれの花桶に入れてある花の色と略同じ色の化粧シートが貼られた表示プレートを当該花桶前面に取り付けてあるため、客にとっても店員にとっても、展示板に陳列展示されている多数の花の中から、目的の花を素早く見つけ出すことができ、特に、客が複数の花を色の組み合わせで選んで購入しようとしている場合に、目的の花を効率的に選択することができる。
【００１０】
また、花を入れる花桶は、展示板の任意の場所に、簡単に固定できるとともに、場所の移動や取り外しも容易に行うことができるので、花の種類や大きさに応じて、自由度の高いレイアウトで配置することができる。
【００１１】
さらに、表示プレートとを花桶に磁気吸着で取り付けてあるため、容易に交換することができるとともに、表示プレートに対して化粧シートを交換可能に貼着しているため、陳列している花の色が季節によって微妙に変化しても、化粧シートを張り替えるだけで、実際の花の色に容易且つ迅速に対応することができる。
【００１２】
また、請求項２記載の考案によれば、化粧板を季節や陳列する花の種類によって、色彩や絵柄の異なるものと自由に交換することができるため、什器全体を入れ替えることなく、簡単に模様替えを行うことができる。
【考案を実施するための最良の形態】
【００１３】
以下、図面に基づいて、本考案の実施形態を説明する。図１は本考案の１実施形態を示す花展示用什器（以下、什器という。）の正面図、図２は、図１におけるＸ−Ｘ位置から矢印方向に見た什器の断面構造図であって、什器１は、その前面に色とりどりの種々の花Ｆを陳列展示するための垂直な展示板２を有している。
【００１４】
図２に示すように、展示板２表面には、花Ｆを保持する多数の花籠３が後述するように、磁気吸着によって任意の位置に着脱自在に保持できるようになっている。また、本実施形態のものにおいては、展示板２の裏側には収納庫４が設けられていて、その上部空間は、複数の棚板４Ａによって仕切られていて、ここには、予備の花籠３や、花籠３に入れた状態で在庫の花Ｆが収納できるようになっている。
【００１５】
さらに、収容庫４の下部には、種々の物品を収納するのに便利なように、展示板２の前面側に引き出し可能な引出部４Ｂが設けられている。
【００１６】
図３に示すように、展示板２は、鋼板で形成されている基板２Ａとその表面に装着されている薄い樹脂シートからなる化粧板２から構成されていて、前記化粧板２の表面には、様々な絵柄が印刷されている。
【００１７】
また、化粧板２は、基板２に対して、ねじ止め等の適宜な固定手段によって着脱自在に取り付けられていて、例えば、季節毎に異なる絵柄が印刷された化粧板２を、季節の変わり目で交換することができるようになっている。
【００１８】
一方、図３及び図４に示すように、花籠３は、上端に開口部を有する箱状の外容器３Ａと、外容器３Ａと相似形でこれより一回りサイズが小さく形成されて、上端に同じく開口部を有する箱状の内容器３Ｂから構成されていて、外容器３Ａの中に内容器３Ｂを嵌め込み、その状態で花を内容器３Ｂの中に入れて保持するようになっている。
【００１９】
本実施形態においては、花籠３の外側部分を構成している外容器３Ａを、耐食性と強度を持たせるためにステンレス鋼板で製作しており、一方、内容器３Ｂは、腐食を防止し且つ軽量化するために、樹脂材料で成形したものを用いている。
【００２０】
外容器３Ａには、その前後両側の側壁外面に、それぞれシート状磁石５、６が貼り付けられている。これらのシート状磁石５、６は、例えば、ゴムシートにフェライト粉末を練り込んだ一般に市販されているものを使用することが可能であって、図３に示すように、展示板２と対向するシート磁石５によって、外容器３Ａを展示板２に磁気吸着して着脱可能に保持させている。
【００２１】
なお、外容器３Ａの素材を磁気吸着可能な種類のステンレス鋼板としたり、あるいは、メッキ等の防錆処理を施した普通鋼板を使用することで、展示板２へのシート状磁石５の磁気吸着力を高めることができ、外容器３Ａをより確実に展示板２に吸着保持させることができる。
【００２２】
また、花籠３は、外容器３Ａと内容器３Ｂとを１つにした単体の容器として製作することも可能であるが、外容器３Ａと内容器３Ｂに分離可能としてある方が、シート状磁石５、６を水や洗剤で濡らさずに、花を入れる内容器３Ｂのみを分離して洗うことができるので便利である。
【００２３】
図３に示すように、外容器３Ａの側壁前面には、ここに貼り付けられているシート状磁石６によって、円板状の表示プレート７が着脱自在に吸着保持されるようになっている。本実施形態のものにおいては、表示プレート７は、磁気吸着が可能なステンレス鋼板によって製作されていて、この表示プレート７においても外容器３Ａの素材を磁気吸着可能な素材とすることで、磁気吸引力が高まり、外容器３Ａに対してより強固に強着保持させることが可能となる。
【００２４】
表示プレート７の表面には、化粧シート８が貼り付けられている。化粧シート８は、表示プレート７から容易に剥離可能な樹脂フィルム等で形成されていて、その裏面側が表示プレート７から容易に剥離できるように加工され、また、表面側は、カラーインクジェットプリンタ等で容易に印刷可能になっている。
【００２５】
前述した構造によって、花籠３を展示板２の任意の位置にレイアウトすることができ、また、陳列展示する花の色と略同色の色調の化粧シート８を貼り付けた表示板７を花籠３の前面に取り付けてあることで、図１のように展示した様々な花Ｆの色を化粧シート８の色によって容易に確認することができる。
【００２６】
なお、化粧シート８は、その花籠３に入れてある花の色と略同色で単純に塗りつぶしてある円形シートを用いてもよいが、図１に示すように、その花と略同色の色調で様々な絵柄を表現したものを用いたり、下地が透明なフィルムに絵柄を印刷して一部が透けて表示プレートの表面が見えるようにすることで、視覚的効果を高めることができる。
【００２７】
また、前述した実施形態のものにおいては、表示プレート７は円板状に形成しているが、表示プレートの形状は、これに限定するものではなく、例えばハート形や星形その他、任意の輪郭形状とすることが可能である。
【産業上の利用可能性】
【００２８】
本考案の花展示用什器は、花の小売り販売等に利用可能である。
【図面の簡単な説明】
【００２９】
【図１】本考案の花展示用什器の１実施形態における、花を展示した状態を示す正面図である。
【図２】図２は、図１のＸ−Ｘ位置から矢印方向に見た断面構造図である。
【図３】本考案の花展示用什器の１実施形態における、展示板への花桶の取付状態を示す側面図である。
【図４】本考案の花展示用什器の１実施形態における、花桶ならびにその付属部品の分解斜視図である。
【符号の説明】
【００３０】
１    什器
２    展示板
２Ａ  基板
２Ｂ  化粧板
３    花籠
３Ａ  外容器
３Ｂ  内容器
４    収納庫
４Ａ  棚板
４Ｂ  引き出し
５    シート状磁石（第１のシート状磁石）
６    シート状磁石（第２のシート状磁石）
７    表示プレート
８    化粧シート
【図１】
0003138068.tif 000003
【図２】
0003138068.tif 000004
【図３】
0003138068.tif 000005
【図４】
0003138068.tif 000006